(57)【要約】      （修正有）【課題】処方された薬剤の誤飲をさらに防ぐことができ、本人のみならず、例えば家族の人であったり、介護士であっても間違いなく服薬方法が把握でき、薬剤を正しく服用させることができる薬袋を提供する。【解決手段】処方された薬剤の服用指示を守って誤飲を防ぐべく表示欄１２が設けられた薬袋１０であって、袋本体は、内部に収納された薬剤が見えるように一部または全体が透明シートによりて構成され、表示欄１２には、少なくとも薬剤名、外観写真、効能並びに服用方法が掲載されてなる用紙を貼付することができるように構成され、その用紙は、処方された薬剤と一緒に薬局から渡される薬剤指導書を印刷した貼着可能なシールであることを特徴とする薬袋１０。【選択図】図１
0003112954.tif 000002
【実用新案登録請求の範囲】
【請求項１】
処方された薬剤の服用指示を守って誤飲を防ぐべく表示欄が設けられた薬袋であって、
袋本体は、内部に収納された薬剤が見えるように一部または全体が透明シートによって構成され、
前記表示欄には、薬剤に関する少なくとも名称、外観写真、効能、並びに服用方法が掲載されてなる用紙を貼付することができるように構成されたことを特徴とする薬袋。
【請求項２】
処方された薬剤の服用指示を守って誤飲を防ぐべく表示欄が設けられた薬袋であって、
袋本体は、内部に収納された薬剤が見えるように一部または全体が透明シートによって構成され、
前記表示欄には、薬剤に関する少なくとも名称、外観写真、効能、並びに服用方法が掲載されてなる用紙を貼付することができるように構成され、
前記用紙は、処方された薬剤と一緒に薬局から渡される薬剤指導書を印刷したものであることを特徴とする薬袋。
【請求項３】
処方された薬剤の服用指示を守って誤飲を防ぐべく表示欄が設けられた薬袋であって、
袋本体は、内部に収納された薬剤が見えるように一部または全体が透明シートによって構成され、
前記表示欄には、薬剤に関する少なくとも名称、外観写真、効能、並びに服用方法が掲載されてなる用紙を貼付することができるように構成され、
前記用紙は、処方された薬剤と一緒に薬局から渡される薬剤指導書をカラー印刷した貼着可能なシールであることを特徴とする薬袋。
【考案の詳細な説明】
【技術分野】
【０００１】  本考案は薬袋に関し、詳しくは、処方された薬剤の服用指示を守って誤飲を防ぐように工夫された薬袋に関する。
【背景技術】
【０００２】  周知のように、病院や診療所で医師が記載した処方箋は薬局に持って行かれ、これを受け取った薬剤師が調剤して患者に渡すようなシステムになっている。薬剤は今日において多種類が揃っており、１度の診察で数多くの薬剤が処方されることもある。そして、処方された複数種類の薬剤は、薬袋（ヤクタイ）と呼ばれる袋に入れられ、患者はそれを受け取ったのち自宅に持って帰る。【０００３】  前述したように、薬剤の種類は数が多く、外見的に似かよったものが多い。医療関係者以外の人が外見から多くの薬剤を識別・区別するのは非常に困難である。しかも、１日２回食後、１日３回食前、というように服薬方法が異なることも多いので、薬剤を誤飲するおそれが充分にあった。【０００４】  この点に鑑み、薬局では薬剤を患者に渡す際、どの薬剤をどのような方法で以て服用すれば良いのかを口頭で説明し、かつ薬剤名、外観写真、効能、並びに服用方法が掲載された説明書（薬剤指導書）を手渡すことが多い（特許文献１）。
【特許文献１】特開平１１−２８８７７号公報
【考案の開示】
【考案が解決しようとする課題】
【０００５】  これにより、薬剤の誤飲をある程度、防ぐことができるが、前記した薬剤指導書を紛失したり、また薬剤指導書と薬剤とが別々に置かれている場合は、誤解や失念により薬剤の誤飲が生じ、思わぬ副作用を招くことがあった。【０００６】    ［考案の目的］
本考案は上記の実情に鑑みてなされたものであり、その目的は、処方された薬剤の誤飲を最小限に防ぐことができ、本人のみならず、例えば家族の人であったり、介護士であっても間違いなく当該薬剤の服薬方法が把握でき、処方された薬剤を正しく服用させることのできる薬袋を提供するところにある。
【課題を解決するための手段】
【０００７】  請求項１に記載の薬袋は、処方された薬剤の服用指示を守って誤飲を防ぐべく表示欄が設けられた薬袋であって、袋本体は、内部に収納された薬剤が見えるように一部または全体が透明シートによって構成され、前記表示欄には、薬剤に関する少なくとも名称、外観写真、効能、並びに服用方法が掲載されてなる用紙を貼付することができるように構成されたことを特徴とする。【０００８】  請求項２に記載の薬袋は、処方された薬剤の服用指示を守って誤飲を防ぐべく表示欄が設けられた薬袋であって、袋本体は、内部に収納された薬剤が見えるように一部または全体が透明シートによって構成され、前記表示欄には、薬剤に関する少なくとも名称、外観写真、効能、並びに服用方法が掲載されてなる用紙を貼付することができるように構成され、前記用紙は、処方された薬剤と一緒に薬局から渡される薬剤指導書を印刷したものであることを特徴とする。【０００９】  請求項３に記載の薬袋は、処方された薬剤の服用指示を守って誤飲を防ぐべく表示欄が設けられた薬袋であって、袋本体は、内部に収納された薬剤が見えるように一部または全体が透明シートによって構成され、前記表示欄には、薬剤に関する少なくとも名称、外観写真、効能、並びに服用方法が掲載されてなる用紙を貼付することができるように構成され、前記用紙は、処方された薬剤と一緒に薬局から渡される薬剤指導書をカラー印刷した貼着可能なシールであることを特徴とする。
【考案の効果】
【００１０】  請求項１記載の薬袋は、袋本体の一部または全体が透明のシートにより構成されているので、内部に収納された薬剤の識別が、薬剤を袋から出さなくても容易となる。【００１１】  また、本考案の薬袋には表示欄が設けられ、該表示欄には、少なくとも薬剤名、外観写真、効能並びに服用方法が掲載されたシールが貼付することができるように構成されている。これにより、薬剤を薬袋に入れている限り、常にその薬剤の服用方法が把握でき、患者本人のみならず、例えば家族の人であったり、介護士であっても間違いなく服薬方法が把握でき、薬剤を正しく服用させることができる。従って、薬袋の中に何種類もの薬剤が混在していても安全である。【００１２】  なお、表示欄に貼付する前記シールとしては、請求項２または３記載の薬袋のように、処方された薬剤と一緒に薬局から手渡される薬剤指導書を利用することが好ましい。【００１３】  すなわち、薬局で手渡される薬剤指導書には、処方された薬剤の名称、外観写真、効能、並びに服用方法等が掲載されているが、これを必要な箇所だけ切り取って薬袋の表示欄に貼付するか、あるいはスキャナーで読み取り、その後（好ましくはカラーで）貼着可能な用紙（裏面の剥離紙を取って貼付するシール用紙）に印刷して薬袋の表示欄に貼付する。このようにして表示欄に薬剤の情報を掲載した薬袋を完成させることができる。なお、本考案は、薬剤指導書それ自体を貼着可能なシールとして構成し、そのシールを利用することも含まれる。
【考案を実施するための最良の形態】
【００１４】透明のシート
本考案における透明のシートとしては、例えばポリエチレンシート、ポリプロピレンシート、ポリエステルシートなどが挙げられるが、これによって限定されるものではない。
【実施例】
【００１５】  以下、本考案の一実施形態を図面に基づいて説明するが、本考案はこれによって限定されるものではない。【００１６】  図１は、本考案に係る薬袋（１０）の正面図である。この薬袋（１０）は、全体がポリエチレンシートなどの透明シートにより構成されている。この薬袋（１０）において、符号（１２）は、表面に設けられた四角形の表示欄である。【００１７】  前記した表示欄（１２）にはシール（１４）が貼付される。図２は、シール（１４）を表示欄（１２）に貼付した状態の薬袋（１０）を示す。シール（１４）には処方された薬剤に関する次の情報が掲載されている。【００１８】  すなわち、薬剤の名称（Ａ）、薬剤の色（Ｂ）、薬剤の外観カラー写真（Ｃ）、服用方法（１日ごとの服用回数）（Ｄ）、服用方法（１回ごとの服用回数）（Ｅ）、投薬日数（Ｆ）、薬の作用（Ｇ）、注意事項（Ｈ）、処方責任者（Ｉ）などが記載されている。【００１９】  前記シール（１４）は、例えば次のようにして作成されたものである。すなわち、通常、処方された薬剤と一緒に薬局から「薬剤指導書」が手渡される。この薬剤指導書には、処方された薬剤の名称、外観写真、効能、並びに服用方法等が掲載されているが、この薬剤指導書をスキャナー装置で読み取り、のちカラーで貼着可能な用紙（裏面の剥離紙を取って貼付するシール用紙）に印刷し、あるいはシール用紙にカラーコピーし（図３参照）、そのシール用紙（Ｓ）における必要な箇所を切り取って、薬袋（１０）の表示欄（１２）に貼付するシール（１４）を作成する。【００２０】  このようにすることによって、処方された種々な薬剤と、その薬剤情報（名称・外観・服用方法・注意事項など）とを容易に、かつ間違いなく一致させることができるので、患者本人のみならず、例えば家族の人であったり、介護士であっても間違いなく服薬方法が把握でき、薬剤を正しく服用させることができ、誤飲を最小限にとどめることができる。【００２１】  なお、本実施例では、表示欄（１２）を薬袋（１０）の表面に設けたが、これに限らず、薬袋（１０）の裏面に設けることもできる。
【図面の簡単な説明】
【００２２】
【図１】本考案の薬袋の正面図である。
【図２】前図の薬袋の表示欄に、薬剤情報が記載されたシールを貼った状態を示す正面図である。
【図３】薬局から渡された薬剤指導書をスキャナー装置で読み取り、のちカラーで印刷したシール用紙の正面図である。
【符号の説明】
【００２３】１０……薬袋
１２……表示欄
１４……シール
Ｓ……シール用紙
【図１】
0003112954.tif 000003
【図２】
0003112954.tif 000004
【図３】
0003112954.tif 000005